(57)【要約】      （修正有）【課題】具体的に構造が簡単であり、設置が非常に容易であり、デッキから離脱が防止され、安定的な設置が可能なスプリングデッキペグを提供する。【解決手段】テントのロープや連結リングがかけられるかかりリング部１００と、前記かかりリング部から延長され、キャンピング用デッキの隙間を通過するボディー部２００と、前記ボディー部の下端に両側に形成され、デッキの下部面にかかるフッキング部３００からなり、テントを設置できるデッキペグにおいて、前記かかりリング部とフッキング部との間には、前記ボディー部の外側をくるみながら、前記かかりリング部にかかる上端から前記フッキング部にかかる下端に行くほど、外径が増加する円錐形の圧縮コイルスプリング（Ｓｐｉｒａｌ  Ｃｏｉｌ  Ｓｐｒｉｎｇ）からなる弾性支持部４００が備えられるが、前記弾性支持部が前記かかりリング部とデッキとの間を弾性支持するように、前記弾性支持部の下端の外径がデッキの隙間の間隔よりも長く形成される。【選択図】図３
0003223761.tif 000002
【実用新案登録請求の範囲】
【請求項１】
テントのロープや連結リングがかけられるかかりリング部と、前記かかりリング部から延長され、キャンピング用デッキの隙間を通過するボディー部と、前記ボディー部の下端に両側に形成され、デッキの下部面にかかるフッキング部からなり、テントを設置できるデッキペグにおいて、
前記かかりリング部とフッキング部との間には、前記ボディー部の外側をくるみながら、前記かかりリング部にかかる上端から前記フッキング部にかかる下端に行くほど、外径が増加する円錐形の圧縮コイルスプリングからなる弾性支持部が備えられ、
前記弾性支持部が前記かかりリング部とデッキとの間を弾性支持するように、前記弾性支持部の下端の外径がデッキの隙間の間隔よりも長く形成される
ことを特徴とするスプリングデッキペグ。
【請求項２】
前記かかりリング部の外径は、前記弾性支持部の上端の内径よりも長い
請求項１に記載のスプリングデッキペグ。
【請求項３】
前記弾性支持部の揺れを防止するように前記弾性支持部の下端のコイル端部を折曲し、内側に延長させ、前記ボディー部と結合させる固定結合部がさらに形成される
請求項２に記載のスプリングデッキペグ。
【請求項４】
前記かかりリング部、ボディー部、フッキング部は、一定の直径と長さを有するワイヤを成形加工して一体に形成される
請求項１ないし３のいずれかに記載のスプリングデッキペグ。
【考案の詳細な説明】
【技術分野】
【０００１】
本考案は、野外でデッキにテントを設置するとき、デッキにかける方式で固定させ、テントを堅固に設置できるようにするデッキペグに関する。
【背景技術】
【０００２】
最近、余暇時間が増えるにつれて、多くの人が家を出て野外活動を楽しむ頻度が増加している。
【０００３】
特に、家族や知人と一緒に野営をしながら自然を楽しむキャンピング人口が急激に増加するにつれて、キャンピングに係る装備や施設、道具についての関心もともに増加している。
【０００４】
従来は、テントを設置するとき、ポールを組立てて立て、ポールとテントシートを連結させて形を整えた後、ロープなどでぴんと引っ張るように引いて固定することで設置するのが一般的であった。このとき、テントを地面に堅固に固定するために、地面に多数のテント用のペグ（Ｐｅｇ）を深く打ち込み、ロープをペグに縛るか、または巻いて固定する方式で設置する。
【０００５】
しかし、最近は、キャンプ場やオートキャンプ場が増えるにつれて、テントを設置する空間を提供しているが、地面に木材の板材を平床の形で設置したデッキ（Ｄｅｃｋ）が代表的である。
【０００６】
しかし、デッキにテントを設置する場合、デッキにペグを打ち込むと、デッキが傷つき、ハンマーで打ち込むことも非常に大変である。それで、通常は、デッキの各板材の間の隙間にかかることができるフック形状のデッキペグを使用してロープを連結する。
【０００７】
図１は、従来の様々なデッキペグを示す斜視図である。
【０００８】
図１（ａ）のねじペグは、木材デッキに直接ねじ締結して使用するが、デッキに損傷を与えることになり、固定させる作業が大変で難しいという短所があった。
【０００９】
図１（ｂ）の場合、デッキに形成された隙間の間に挿入した後に、回してかかるように考案されたフック形状のペグは、デッキに損傷を与えず、ロープを連結できる。しかし、単純にデッキに緩くかけておいたものに過ぎず、簡単に抜けたり、押されたりすることになって堅固に固定できない。そして、テントの解体時、ロープを解くときに隙間の間に抜けて紛失する場合が多い。また、上部が鋭く突出して危険性が高かった。また、上部と下部の間隔が固定されているため、デッキの厚さが変われば緩いか、またはかけられない問題がある。
【００１０】
図１（ｃ）の場合、上部と下部がねじ結合された構造であるため、上部を回転させて上下の間隔を調節することにより、デッキに堅固に固定できるが、上部を毎回苦労して回さなければならない不便さと、上部を最終的に回すとき、下部と水平にならずに直角になると、デッキを掴むどころかデッキの隙間の間に抜ける問題が発生する。そして、上部と下部を締結、分離できるように製作するために製作費用が増加する短所がある。
【００１１】
図２は、従来の他のデッキペグを示す断面図である。下記の先行特許文献のうち、特許文献４（１０−１６０３１９８（２０１６．３．８））に公開されている。
【００１２】
上端の固定部と連結リング部との間にスプリングが装着されてデッキの上端部と下端部を弾性的に拘束するため、デッキに堅固に固定され、上端の固定部を加圧してスプリングを圧縮しつつ迅速にデッキに設置できる長所がある。
【００１３】
しかし、設置時に、両手で上端固定部と下端支持部をそれぞれ掴んで引っ張らなければならない不便さがあり、複雑な構造のために製作費用が途方もなく増加して現実的に製品化しにくい構造である。
【先行技術文献】
【特許文献】
【００１４】
【特許文献１】韓国登録特許１０−１４４００５８（２０１４．９．３）「アンカーペグ」
【特許文献２】韓国公開特許１０−２０１６−００５８４７７（２０１６．５．２５）「デッキペグ」
【特許文献３】韓国登録特許１０−１４３２９６９（２０１４．８．１５）「マルチデッキペグ」
【特許文献４】韓国登録特許１０−１６０３１９８（２０１６．３．８）「キャンピング用半自動デッキペグ」
【考案の概要】
【考案が解決しようとする課題】
【００１５】
本考案は、前述した問題を解決するためのものであって、本考案の目的は、円錐形の圧縮コイルスプリングを使用したデッキペグを提示するものであって、具体的に構造が簡単であり、設置が非常に容易であり、デッキから離脱が防止され、安定的な設置が可能なスプリングデッキペグを提供する。
【課題を解決するための手段】
【００１６】
前述した目的を達成するために本考案によるスプリングデッキペグは、テントのロープや連結リングがかけられるかかりリング部と、前記かかりリング部から延長され、キャンピング用デッキの隙間を通過するボディー部と、前記ボディー部の下端に両側に形成され、デッキの下部面にかかるフッキング部からなり、テントを設置できるデッキペグにおいて、前記かかりリング部とフッキング部との間には、前記ボディー部の外側をくるみながら、前記かかりリング部にかかる上端から前記フッキング部にかかる下端に行くほど、外径が増加する円錐形の圧縮コイルスプリング（Ｓｐｉｒａｌ  Ｃｏｉｌ  Ｓｐｒｉｎｇ）からなる弾性支持部が備えられるが、前記弾性支持部が前記かかりリング部とデッキとの間を弾性支持するように、前記弾性支持部の下端の外径がデッキの隙間の間隔よりも長く形成され得る。
【００１７】
ここで、前記かかりリング部の外径は、前記弾性支持部の上端の内径よりも長く形成され得る。
【００１８】
そして、前記弾性支持部の揺れを防止するように前記弾性支持部の下端のコイル端部を折曲し、内側に延長させ、前記ボディー部と結合させる固定結合部がさらに形成され得る。
【００１９】
一方、前記かかりリング部、ボディー部、フッキング部は、一定の直径と長さを有するワイヤを成形加工して一体に形成し得る。
【考案の効果】
【００２０】
前記の構成からなる本考案によると、以下のような効果がある。
【００２１】
第一、複雑でなく、単純な構造を有し、製造単価が非常に低く、生産性と経済性にすぐれる。
【００２２】
第二、従来は、両手を使用するか、または別の締め作業が必要であった一方、本考案は、片手で加圧した状態で簡単に回す方式で設置できるため、非常に便利である。
【００２３】
第三、円錐形の圧縮コイルスプリングを使用することにより、従来の不要な構造を省略し得、ある方向からある角度で力を受けてもデッキの隙間に抜けたり離脱せず、固定された状態を維持できるため、非常に安定したテントの設置が可能である。
【００２４】
第四、テントロープや連結リング（Ｃａｒａｂｉｎｅｒ）を分離しても、デッキに固定された状態を維持するため、紛失する危険がない。
【図面の簡単な説明】
【００２５】
【図１】従来の様々なデッキペグを示す斜視図
【図２】従来の他のデッキペグを示す断面図
【図３】本考案の一実施例によるスプリングデッキペグの全体的な外観を示す斜視図
【図４】図３に図示された本考案の断面図
【図５ａ】本考案の設置状態図
【図５ｂ】本考案の設置状態図
【図５ｃ】本考案の設置状態図
【考案を実施するための形態】
【００２６】
以下、本考案による一実施例を添付した図面を参照してより具体的に説明する。
図面を参照した考案は、本考案をより容易に理解するためのものであって、本考案の範疇がこれによって限定されるものではない。そして、本考案を説明するにおいて、係る公知技術についての具体的な説明が本考案の要旨を不必要に曖昧にすると判断される場合、具体的な説明は省略する。
【００２７】
図３は、本考案の一実施例によるスプリングデッキペグの全体的な外観を示す斜視図であり、図４は、図３に図示された本考案の断面図を示す。
【００２８】
本考案は、かかりリング部１００、ボディー部２００、フッキング部３００、弾性支持部４００を含んで構成されるが、まず、前記かかりリング部１００、ボディー部２００、フッキング部３００をともに説明する。
【００２９】
前記かかりリング部１００、ボディー部２００、フッキング部３００は、一体に形成されるもので前記かかりリング部１００とフッキング部３００を前記ボディー部２００が連結する形状である。
【００３０】
前記かかりリング部１００は、テントのロープを縛るか、または連結リング（Ｃａｒａｂｉｎｅｒ）がかけられるようにリング形状からなり得る。前記かかりリング部１００は、円形または図示されたような四角形の環状からなり得る。
【００３１】
そして、前記ボディー部２００は、前記かかりリング部１００から下側に長く延長されるものであって、バー（Ｂａｒ）またはビーム（Ｂｅａｍ）形状であり得る。
【００３２】
前記ボディー部２００は、デッキｄの各板材の間に形成された隙間ｇを通過するため、長さは、デッキｄの厚さよりも長く形成され、幅は、デッキの隙間ｇの間隔に収容できる長さを有する。
【００３３】
また、前記フッキング部３００は、前記ボディー部２００の下端に形成されるが、両側に広がった形状をなす。すなわち、前記フッキング部３００は、それぞれデッキの隣接する２つの板材にかかるように円弧形状またはアーチ形状をなす鉤（Ｈｏｏｋ）からなり得る。
【００３４】
前記フッキング部３００が鉤状を有するため、前記フッキング部３００の端部は、尖った尖部が形成されることと同じであるため、実際のデッキｄの下部面に接触しても、打ち込まれた状態になってスリップが発生しなくなる。すなわち、別のノンスリップ処理をする必要がない。
【００３５】
ところが、本考案において、前記かかりリング部１００、ボディー部２００、フッキング部３００は、図示されたように、ワイヤを成形加工して一体に形成することが好ましい。
【００３６】
前記かかりリング部１００、ボディー部２００、フッキング部３００の一体化のために、溶融鋳造を通じて製造し得、金属板材をパンチングまたはピアシング加工を通じて製造し得る。
【００３７】
しかし、本考案では、一定の直径と長さを有するワイヤを曲げ成形加工を通じて図示されたような一体化された形状に加工し得る。例えば、フォーミング（Ｆｏｒｍｉｎｇ）加工によって前記フッキング部３００を半円形にベンディングし、中央を加工して前記かかりリング部１００を成形加工することにより、容易に製造し得る。
【００３８】
次に、本考案の核心的技術特徴にあたる前記弾性支持部について説明する。
【００３９】
前記弾性支持部４００は、前記かかりリング部１００とフッキング部３００との間に備えられる。つまり、前記弾性支持部４００は、圧縮コイルスプリングからなり得るため、前記ボディー部２００の外側をくるみながら、内部に前記ボディー部２００が収容されるように備えられる。
【００４０】
このとき、前記弾性支持部４００の最上端の内径は、前記かかりリング部１００の外径よりも短く形成されて前記弾性支持部４００が前記かかりリング部１００にかかるようにすることにより、離脱しないようにする。
【００４１】
そして、前記弾性支持部４００の最下端の内径は、前記フッキング部３００の外径よりも短く形成されて前記弾性支持部４００が前記フッキング部３００にかかるようにすることにより、離脱しないようにする。
【００４２】
同時に、前記弾性支持部４００の最下端の外径は、デッキｄの隙間ｇの間隔よりも長く形成されて隙間ｇの間に抜けず、デッキｄにかけた状態で支持されなければならない。
【００４３】
好ましくは、前記弾性支持部４００は、上端から下端に行くほど、外径が増加する円錐形の圧縮コイルスプリング（Ｓｐｉｒａｌ  Ｃｏｉｌ  Ｓｐｒｉｎｇ）であるものがよい。
【００４４】
これらの円錐形の圧縮コイルスプリングを使用すると、上端は相対的に狭い外径（内径）を有するとともに、下端は広い外径（内径）を有することになるため、本考案で要求される技術的必要を満たす。
【００４５】
具体的に、前記弾性支持部４００の上端が前記かかりリング部１００にかかるとともに下端がデッキｄの隙間の間隔よりも十分に長く形成され得るため、デッキｄに安定的によく支持されることができる。つまり、円錐形の圧縮コイルスプリングがおよそ三角形の形状であるため、前記ボディー部２００が傾いても前記弾性支持部４００の下端がデッキの隙間に抜けたり離脱せず、デッキｄに安定的に安着して支持できる。
【００４６】
また、従来は、別にデッキｄの上部を支持する手段が必要であったが、円錐形の圧縮コイルスプリングを使用することにより、これらの問題は、完全に解決され得る。
【００４７】
また、円錐形の圧縮コイルスプリングは、高さに応じて弾性係数が変わる特徴があるが、外径が長い下端は、弾性係数が相対的に小さく、上端は、相対的に弾性係数が大きい。
【００４８】
本考案の実際の使用時は、設置者が指で前記弾性支持部４００を圧縮させた後、デッキｄにかけるようにするか、または前記弾性支持部４００をデッキｄの上部面に置いた状態で前記かかりリング部１００を押して前記弾性支持部４００を圧縮させる方式で設置ができるが、弾性係数が相対的に小さい下端が先に圧縮されるため、圧縮させるのに大きい力が必要ではなく、容易に設置できる。
【００４９】
そして、デッキｄが厚くなるほど相対的に大きい力を加えてスプリングをさらに圧縮させながら設置しなければならないが、この場合、弾性係数が大きい上端が圧縮されながら大きい弾性力を提供するため、デッキｄにより堅固に設置できる。
【００５０】
一方、前記弾性支持部４００の下端、つまり、円錐形の圧縮コイルスプリングの端部は、内側に折曲して延長して前記ボディー部２００と結合される固定結合部５００がさらに形成され得る。
【００５１】
本考案において、前記弾性支持部４００は、前記かかりリング部１００とフッキング部３００にかかった状態であるが、前記ボディー部２００と結合された状態ではないから、上、下、左、右に揺れることになる。これは、デッキｄに設置するとき、前記弾性支持部４００が一側に傾くことになると、下端の一端がデッキの隙間ｇに挟まる問題が発生する。
【００５２】
さらに、テントロープの傾きが低くなると、前記ボディー部２００は、垂直に力を受けるのではなく、側面に力を受けて傾くことになるが、このとき、前記ボディー部２００の傾きに応じて前記弾性支持部４００に傾くことになり、これにより、前記弾性支持部４００の下端がデッキの隙間ｇの間に抜ける問題が発生する。
【００５３】
これらの問題は、前述した円錐形の圧縮コイルスプリングを使用することにより、ある程度解決される。
【００５４】
しかし、本考案において、これを確かに防止するために、前記弾性支持部４００の下端のコイル端部を内側に延長させ、前記ボディー部２００を巻く固定結合部５００によって前記弾性支持部４００とボディー部２００を相互結合させると、前記弾性支持部４００は、前記ボディー部２００を中心に固定されて動かなくなる。
【００５５】
以下、図５をともに参照して本考案の設置過程を簡単に説明する。
【００５６】
図５は、本考案の設置状態図を示す。
【００５７】
まず、設置者は、図５ａに示すように、片手で前記かかりリング部１００を掴んで前記フッキング部３００がデッキの隙間ｇの間に挿入されるように位置させる。このとき、前記弾性支持部４００の下端がデッキｄの上部面に置かれてかけた状態になる。
【００５８】
そして、設置者は、図５ｂに示すように、前記かかりリング部１００を掴んだ状態で下側に力を加えて前記弾性支持部４００を押すと、前記弾性支持部４００は、圧縮され、前記フッキング部３００は、デッキの隙間ｇを貫通してデッキｄの下部面に露出される。
【００５９】
この状態で、設置者は、前記かかりリング部１００を掴んで回転させると、前記ボディー部２００とフッキング部３００が回転することになるが、前記フッキング部３００がデッキの隙間ｇの長さ方向と直角になるまで回転させる。
【００６０】
その後、設置者が掴んでいた前記かかりリング部１００を放すと、図５ｃに示すように、前記弾性支持部４００が膨脹しつつデッキｄの上部面を弾性力によって強く押すことになり、これにより、前記フッキング部３００の端部は、デッキｄの下部面にしっかりとかかり固定される。
【００６１】
逆に、設置を解体するときは、逆手順で進行する。
【００６２】
設置者は、前記かかりリング部１００を掴んで再び押すと、前記弾性支持部４００が圧縮され、前記フッキング部３００は、デッキｄの下部面と離隔される。
【００６３】
この状態で、前記かかりリング部１００を押している状態を維持しつつ回転させ、前記フッキング部３００がデッキの隙間ｇの長さ方向と並んで位置するようにする。
【００６４】
そして、前記かかりリング部１００を掴んだ状態で、押していた力を除去すると、前記ボディー部２００とフッキング部３００は、デッキの隙間ｇを通じて抜け出すことになるため、解体が完了される。
【００６５】
以上で、図面を参照して本考案の代表的な実施例を説明したが、本考案が属した分野で通常の知識を有する者であれば、前記内容に基づいて本考案の範疇内で様々な応用及び変形を行うことが可能である。したがって、本考案の権利の範囲は、説明された実施例に限定されて定められてはならず、後述する特許請求の範囲だけでなく、この特許請求の範囲と均等なものなどによって定められる。
【符号の説明】
【００６６】
１００    かかりリング部
２００    ボディー部
３００    フッキング部
４００    弾性支持部
５００    固定結合部
ｄ    デッキ
ｇ    デッキの隙間
【図１】
0003223761.tif 000003
【図２】
0003223761.tif 000004
【図３】
0003223761.tif 000005
【図４】
0003223761.tif 000006
【図５ａ】
0003223761.tif 000007
【図５ｂ】
0003223761.tif 000008
【図５ｃ】
0003223761.tif 000009